(57)【要約】【課題】複数の部屋に調和空気を供給することができ、かつ設置スペースを確保し易い空調システムを得ること。【解決手段】建物１５０内の複数の部屋Ｒ1〜Ｒ4の各々に調和空気を供給する空調システム１００Ａを構成するにあたり、建物内の１つの部屋Ｒ2に、調和空気を作り出す空気調和機２０と、該空気調和機から離隔した箇所に設置されて部屋Ｒ2内の調和空気を吸い込む送風装置６０Ａとを設置し、送風装置６０Ａにより上記の調和空気を吸い込んで配管部１０に送出し、該配管部により上記の調和空気を各部屋に導くようにする。【選択図】        図１
2010101600.tif 000002
【特許請求の範囲】
【請求項１】
建物内の複数の部屋の各々に調和空気を供給する空調システムであって、
前記建物内の部屋に設置されて調和空気を作り出す空気調和機と、
該空気調和機が設置された部屋内で前記空気調和機から離隔した箇所に設置され、前記調和空気を吸い込んで送出する送風装置と、
該送風装置から送出された前記調和空気を前記複数の部屋の各々に排出する配管部と、
を備えたことを特徴とする空調システム。
【請求項２】
前記送風装置は、調和空気を清浄化する空気清浄部を有すること特徴とする請求項１に記載の空調システム。
【請求項３】
前記空気清浄部は、
塵埃を捕集する第１フィルターと、
該第１フィルターを通過した微細な塵埃を捕集する第２フィルターと、
該第２フィルターを通過した化学物質を除去する第３フィルターと、
を有することを特徴とする請求項２に記載の空調システム。
【請求項４】
前記送風装置は、
前面側に形成された吸込み口と、
該吸込み口に続く第１吸込み風洞部と、
該第１吸込み風洞部に並設されて前記吸込み口に続く第２吸込み風洞部と、
を有し、
前記第１吸込み風洞部での前記吸込み口側には前記空気清浄部が配置されており、
前記第２吸込み風洞部内には該第２吸込み風洞部を開閉する第１ダンパが配置されている、
ことを特徴とする請求項２または３に記載の空調システム。
【請求項５】
前記送風装置は、該送風装置の起動時には前記第１ダンパを開放状態にしておき、該送風装置の起動から所定時間経過後に前記第１ダンパを開放状態から閉鎖状態に切り替える第１ダンパ駆動部を更に有することを特徴とする請求項４に記載の空調システム。
【請求項６】
前記配管部内に配置されて、前記建物での階毎または部屋毎に調和空気の供給、遮断を制御する複数の第２ダンパと、
前記建物での階毎または部屋毎の温度を検知する温度検出器と、
を更に備え、
前記送風装置は、検出温度が基準温度範囲から外れた温度検出器があったときに該温度検出器が設置されている階または部屋への調和空気の供給、遮断を制御する第２ダンパの開閉状態を切り替える第２ダンパ駆動部を更に有する、
ことを特徴とする請求項１〜５のいずれか１つに記載の空調システム。
【請求項７】
前記建物での階毎または部屋毎の温度を検知する温度検出器を更に備え、
前記第１ダンパ駆動部は、検知温度が基準温度範囲から外れた温度検出器があったときに前記第１ダンパを閉鎖状態から開放状態に切り替えることを特徴とする請求項４または５に記載の空調システム。
【請求項８】
前記建物内に配置され、外気と前記複数の部屋それぞれの室内空気とを吸い込んで前記外気と前記室内空気との間で熱交換を行い、熱交換後の室内空気は前記建物の外に排気し、熱交換後の外気は前記送風装置に供給する熱交換換気ユニットを更に備えたことを特徴とする請求項１〜７のいずれか１つに記載の空調システム。
【請求項９】
前記建物内に配置され、前記複数の部屋それぞれの室内空気を吸い込んで加湿した後に前記送風装置に供給する循環形加湿ユニットを更に備えたことを特徴とする請求項１〜８のいずれか１つに記載の空調システム。
【発明の詳細な説明】
【技術分野】
【０００１】
本発明は、複数の部屋の空気調和を行う空調システムに関するものである。
【背景技術】
【０００２】
気密住宅および空気調和機の普及に伴い、今日では、建物の部屋毎に空気調和機の室内機を設置することも一般的になってきている。また、部屋毎に空気調和機の室内機を設置することによる個々の部屋での利用スペースの減少や施工工事の煩雑化を抑えるために、１箇所で集中的に空気調和を行って得た空気（調和空気）を各部屋に供給する集中空調システムも開発されている。
【０００３】
例えば特許文献１には、建物の各室に通じるダクトと、該ダクトの基端部に接続される空気循環路と、該空気循環路内に建物内の空気を吸入しかつ吸入した空気をダクトを通して各室に送出する送風モジュールと、空気循環路内の空気を外気との間で換気し、熱源機で必要温度に調節して所定状態に調和させる空調モジュールとを備えた一体型集中空調ユニットが記載されている。この一体型集中空調ユニットでは、空調モジュールで所定状態に調和した空気を送風モジュールとダクトで各室に送るので、各室に設置した空気調和機（室内機）と１台の室外機との間で高圧の冷媒等を循環させて室毎に空気調和を行うシステムを構築する場合に比べて、施工が簡単化される。また、当該一体型集中空調ユニットを屋外に設置すれば、どの室にも空気調和機（室内機）を設置しなくてよいので、個々の室での利用スペースの減少が防止される。
【０００４】
【特許文献１】特開平２−２８７０３４号公報
【発明の開示】
【発明が解決しようとする課題】
【０００５】
しかしながら、特許文献１に記載された一体型集中空調ユニットは、空気循環路、送風モジュール、および空調モジュールを一体化したものであることから装置が大型であり、当該一体型集中空調ユニットを建物内の１つに部屋に設置すると、該部屋での利用スペースが大幅に減少してしまう。また、当該一体型集中空調ユニットを建物外に設置するためには、建物外に比較的広いスペースがなければならない。このため、大きな部屋や広い敷地がない場合には設置できないことがある。
【０００６】
本発明は上記の事情に鑑みてなされたものであり、複数の部屋に調和空気を供給することができ、かつ設置スペースを確保し易い空調システムを得ることを目的とする。
【課題を解決するための手段】
【０００７】
上記の目的を達成する本発明の空調システムは、建物内の複数の部屋の各々に調和空気を供給する空調システムであって、建物内の部屋に設置されて調和空気を作り出す空気調和機と、空気調和機が設置された部屋内で空気調和機から離隔した箇所に設置され、調和空気を吸い込んで送出する送風装置と、送風装置から送出された調和空気を複数の部屋の各々に排出する配管部とを備えたことを特徴とするものである。
【発明の効果】
【０００８】
本発明の空調システムでは、空気調和機と送風装置とを同じ部屋の別々の箇所に設置するので、１箇所にまとまったスペースを確保できない場合でも、また建物の敷地が狭い場合でも当該空気調和機および送風装置を設置し易い。設置スペースの確保が容易である。
【発明を実施するための最良の形態】
【０００９】
以下、本発明の空調システムの実施の形態について、図面を参照して詳細に説明する。なお、本発明は以下に説明する実施の形態に限定されるものではない。
【００１０】
実施の形態１．
図１は、本発明の空調システムの一例を示す概略図である。同図に示す空調システム１００Ａは、計４つの部屋Ｒ1〜Ｒ4を有する２階建ての建物１５０内に設置されて１階の各部屋Ｒ1，Ｒ2および２階の各部屋Ｒ3，Ｒ4に調和空気を供給するシステムであり、当該空調システム１００Ａは、配管部１０、空気調和機２０、および送風装置６０Ａを備えている。なお、図示の例での建物１５０は、床部１４１、外周壁１４２、間仕切り壁１４３、１階側天井部１４４、２階側天井部１４５、屋根裏部１４６、および屋根１４７を備え、敷地Ｓに建てられている。
【００１１】
上記の配管部１０は、間仕切り壁１４３の内部を１階側から２階側に通る主管３と、主管３から分岐し、１階側天井部１４４内を通って部屋Ｒ1，Ｒ2に達する１階側枝管部５ａ，５ｂと、主管３から分岐し、２階側天井部１４５を通って部屋Ｒ3，Ｒ4に達する２階側枝管部７ａ，７ｂとを有しており、送風装置６０Ａから各部屋Ｒ1〜Ｒ4に供給される調和空気の流路となる。空気調和機２０は１階の部屋Ｒ2に設置され、冷凍サイクルを利用して部屋Ｒ2の室内空気の温度や湿度を調節して調和空気を作り出す。なお、部屋Ｒ2に空気調和機２０が設置されていることから、上述した配管部１０のうちで部屋Ｒ2に達する１階側枝管部５ｂについては、省略することも可能である。
【００１２】
送風装置６０Ａは、空気清浄部と送風部（いずれも図示せず）とを有し、部屋Ｒ2内での空気調和機２０から離隔した箇所、例えばコーナー部においてその一部を間仕切り壁１４３に埋め込んだ状態で設置されて、空気調和機２０が作り出した調和空気を清浄化した後に配管部１０に送出する。図１においては、建物１５０内での調和空気の流向を二点鎖線の矢印で示している。以下、図２を参照して送風装置６０Ａの構成を説明する。
【００１３】
図２は、図１に示した空調システムでの送風装置の構成を概略的に示す部分断面図である。同図に示すように、送風装置６０Ａは、筐体２１と、該筐体２１内に形成された風洞部２２と、該風洞部２２を第１吸込み風洞部２２Ａと第２吸込み風洞部２２Ｂとに仕切る第１仕切り板２３と、吹出し風洞部２４と、該吹出し風洞部２４と第２吸込み風洞部２２Ｂとを仕切る第２仕切り板２５と、第１吸込み風洞部２２Ａでの前面側に配置された空気清浄部２６と、第２吸込み風洞部２２Ｂ内に配置された第１ダンパ２７と、第１および第２吸込み風洞部２２Ａ，２２Ｂの後方に配置された送風部５０とを備えている。
【００１４】
上記の筐体２１は前面側に四角形状の吸込み口２１ａを有し、上面側での後部に吹出し口２１ｂを有する。風洞部２２は吸込み口２１ａに続いており、吹出し口２１ｂは吹出し風洞部２４に続いている。図示の例では、第１吸込み風洞部２２Ａと第２吸込み風洞部２２Ｂとが筐体２１での上下方向に並設され、第２吸込み風洞部２２Ｂの後方に吹出し風洞部２４が設けられている。吹出し口２１ｂに配管部１０（図１参照）が接続される。
【００１５】
空気清浄部２６は、送風装置６０Ａが吸い込んだ空気を送風部５０の手前で清浄化するものであり、塵埃を捕集する第１フィルター２６ａと、該第１フィルター２６ａを通過した微細な塵埃を捕集する第２フィルター２６ｂと、該第２フィルター２６ｂを通過した化学物質を除去する第３フィルター２６ｃとが吸込み口２１ａ側からこの順番で配置された構成を有する。また、第１ダンパ２７は、送風部５０により動作制御されるモータ（図示せず）により駆動されて、第２吸込み風洞部２２Ｂを開閉する。図２においては、第２吸込み風洞部２２Ｂが開放状態であるときの第１ダンパ２７を実線で描いており、閉鎖状態であるときの第１ダンパ２７を一点鎖線で描いている。
【００１６】
送風部５０は、送風部本体４５と、該送風部本体４５の上端に取り付けられた吹出し部４７とを有する。送風部本体４５での風洞部２２側には吸込み口４５ａが形成されており、送風部本体４５の内部には、駆動時に吸込み口４５ａから空気を吸い込んで吹出し部４７に送出する送風ファン（図示せず）と、該送風ファンを駆動させるモータ（図示せず）と、該モータおよび前述した第１ダンパ２７用のモータそれぞれの動作を制御する制御部４０Ａとが配置されている。吹出し部４７は徳利状を呈し、送風機本体４５が作り出した気流を吹出し風洞部２４に吹き出す。
【００１７】
図３は、図１に示した空調システムでの結線の状態を概略的に示す結線図である。同図に示すように、空調システム１００Ａ（図１参照）での空気調和機２０（図３においては「空調機」と略記している）と送風装置６０Ａ（図２参照）の制御部４０Ａとは電源スイッチＳに電気的に接続されており、該電源スイッチＳがオン（閉）になると動作を開始し、オフ（閉）になると動作を停止する。
【００１８】
制御部４０Ａは、送風部本体４５（図２参照）内に配置された送風ファン３１用のモータ３２を動作制御する送風ファン駆動部３５と、第１ダンパ２７（図２参照）用のモータ２８を動作制御する第１ダンパ駆動部３６と、該第１ダンパ駆動部３６と電源スイッチＳとの間に介在して第１ダンパ駆動部３６の動作時期を規定するオンタイマ３７とを有している。送風ファン駆動部３５とオンタイマ３７とは電源スイッチＳに電気的に接続されており、第１ダンパ駆動部３６はオンタイマ３７に電気的に接続されている。なお、第１ダンパ２７は、「オン」のときに第２吸込み風洞部２２Ｂを閉鎖状態にし、「オフ」のときに第２吸込み風洞部２２Ｂを開放状態にする。
【００１９】
上述した配管部１０、空気調和機２０、および送風装置６０Ａ（図１および図２参照）を備え、空気調和機２０と送風装置６０Ａの制御部４０Ａと各モータ２８，３２（図３参照）とが所定の状態で結線されている空調システム１００Ａ（図１参照）では、ユーザが電源スイッチＳ（図３参照）をオン（閉）にすると空気調和機２０および送風装置６０Ａの各々が起動して、建物１５０の各部屋Ｒ1〜Ｒ2（図１参照）への調和空気の供給が開始される。第１ダンパ２７は、空気調和機２０および送風ファン３１（図３参照）より遅れて起動する。
【００２０】
図４は、図１に示した空調システムでの各部の動作時期を概略的に示すタイムチャートである。同図に示すように、時刻Ｔ１でユーザが電源スイッチＳをオン（閉）にすると、これに同期して空気調和機２０および送風ファン３１が起動（オン）する。第１ダンパ２７は、オンタイマ３７が第１ダンパ駆動部３６（図３参照）にオン信号を出す時刻Ｔ２に起動（オン）する。
【００２１】
時刻Ｔ１で起動した空気調和機２０は、部屋Ｒ2の室内空気の温度や湿度を所定の状態にして調和空気を作り出す。また、時刻Ｔ２で送風ファン３１が起動すると、部屋Ｒ2内の調和空気が吸込み口２１ａと、第１および第２吸込み風洞部２２Ａ，２２Ｂと、吸込み口４５ａとを経由して送風装置６０Ａの送風機本体４５内に吸い込まれ、ここから吹出し部４７を通って吹出し風洞部２４（図２参照）に吹き出す。そして、吹出し風洞部２４に吹き出された調和空気は、吹出し口２１ｂ（図２参照）から配管部１０（図１参照）内に送出されて、各部屋Ｒ1〜Ｒ4（図１参照）に排出（供給）される。第１吸込み風洞部２２Ａと第２吸込み風洞部２２Ａの両方が調和空気の流路として機能するので、空気調和機２０が作り出した調和空気を各部屋Ｒ1〜Ｒ4に急速に供給することが可能である。
【００２２】
ただし、時刻Ｔ２になるまでは第１ダンパ２７が「オフ」にされて第２吸込み風洞部２２Ｂを開放状態にしているので、空気清浄部２６（図２参照）により清浄化された調和空気と、清浄化されないままの調和空気とが送風部本体４５に吸い込まれて各部屋Ｒ1〜Ｒ4に供給される。時刻Ｔ２になると、第１ダンパ２７がオンになって第２吸込み風洞部２２Ｂを閉鎖状態にする。これにより第１および第２風洞部２２Ａ，２２Ｂのうちの第１吸込み風洞部２２Ａのみが調和空気の流路として機能することになるので、送風装置６０Ａから配管部１０へは清浄化された調和空気のみが送出されるようになる。
【００２３】
このように動作する空調システム１００Ａ（図１参照）によれば、空気調和機２０の性能や各部屋Ｒ1〜Ｒ4の広さ等に応じて時刻Ｔ１と時刻Ｔ２との時差Ｔａ（図４参照）を適宜選定することにより、例えば帰宅直後に各部屋Ｒ1〜Ｒ4の温度環境や湿度環境を急速に整え、その後は清浄化された調和空気を個々の部屋Ｒ1〜Ｒ4に穏やかに供給して各部屋Ｒ1〜Ｒ4の温度環境や湿度環境を維持することが可能になる。
【００２４】
そして、当該空調システム１００Ａでは、空気調和機２０と送風装置６０Ａとを部屋Ｒ2の別々の箇所に設置するので、部屋Ｒ2内の１箇所にまとまったスペースを確保できない場合でも、また建物１５０の敷地Ｓ（図１参照）が狭い場合でも、空気調和機２０および送風装置６０Ａを設置して当該空調システム１００Ａを構築し易い。設置スペースの確保が容易である。
【００２５】
また、送風装置６０Ａに空気清浄部２６（図２参照）が設けられているので、該空気清浄部２６を適宜清掃することにより、保守が困難な配管部１０内での雑菌の増殖を抑えることが可能である。さらには、調和空気を個々の部屋Ｒ1〜Ｒ4に急速に供給する場合には、空気清浄部２６が設けられていない第２吸込み風洞部２２Ｂ、別言すれば圧力損失が少ない第２吸込み風洞部２２Ｂからも調和空気を吸い込むことができるので、当該場合でも送風ファン３１（図３参照）の駆動力をそれ程高めなくてもよく、エネルギー消費量を抑え易い。
【００２６】
実施の形態２．
本発明の空調システムは、建物での階毎または部屋毎に調和空気の供給、遮断を制御するように構成することもできる。このように空調システムを構成するにあたっては、例えば、配管部の所定箇所に該配管部での流路を開閉する第２ダンパが設けられ、建物での階毎または部屋毎に温度検出器が設けられる。
【００２７】
図５は、建物での階毎に調和空気の供給、遮断を制御することができる空調システムの一例を示す概略図である。同図に示す空調システム１００Ｂは、２階建ての建物１５０内に設置されて１階の各部屋Ｒ1，Ｒ2および２階の各部屋Ｒ3，Ｒ4に調和空気を供給することができると共に、建物１５０の階毎に調和空気の供給、遮断を制御することができるシステムである。
【００２８】
この空調システム１００Ｂでは、配管部１０での１階側枝管部５ａ，５ｂ内に第２ダンパ６３ａが１つずつ設けられていると共に、２階側枝管部７ａ，７ｂ内に第２ダンパ６３ｂが１つずつ設けられている。また、１階の部屋Ｒ1には建物１５０での１階の温度を検出する第１温度検出器６５ａが設けられており、２階の部屋Ｒ3には建物１５０での２階の温度を検出する第２温度検出器６５ｂが設けられている。そして、当該空調システム１００Ｂは、図１に示した送風装置６０Ａに代えて送風装置６０Ｂを備えている。これらの点を除けば、空調システム１００Ｂは、図１に示した空調システム１００Ａと同様の構成を有している。図５に示す構成要素のうちで図１に示した構成要素と共通するものについては、図１で用いた参照符号と同じ参照符号を付してその説明を省略する。
【００２９】
上記の第２ダンパ６３ａの各々は、送風装置６０Ｂにより動作制御されるモータ（図示せず）により駆動され、互いに同期して、１階側枝管部５ａ，５ｂを開放状態または閉鎖状態に切り替える。同様に、第２ダンパ６３ｂの各々は、送風装置６０Ｂにより動作制御されるモータ（図示せず）により駆動され、互いに同期して、２階側枝管部７ａ，７ｂを開放状態または閉鎖状態に切り替える。また、第１温度検出器６５ａは建物１５０での１階の温度を検出し、第２温度検出器６５ｂは建物１５０での２階の温度を検出する。これら第１温度検出器６５ａおよび第２温度検出器６５ｂの検出結果は、送風装置６０Ｂの制御部（図示せず）に送られる。勿論、送風装置６０Ｂの制御部が第１温度検出器６５ａおよび第２温度検出器６５ｂそれぞれの検出結果を読み取るように空調システム１００Ｂを構成してもよい。
【００３０】
図６は、図５に示した空調システムでの結線の状態を概略的に示す結線図である。同図に示すように、空調システム１００Ｂ（図５参照）での空気調和機２０（図６においては「空調機」と略記している）と送風装置６０Ｂの制御部４０Ｂとは電源スイッチＳに電気的に接続されており、該電源スイッチＳがオン（閉）になると動作を開始し、オフ（閉）になると動作を停止する。
【００３１】
制御部４０Ｂは、図３に示した制御部４０Ａと同様に、送風ファン３１用のモータ３２を動作制御する送風ファン駆動部３５、第１ダンパ２７（図５参照）用のモータ２８を動作制御する第１ダンパ駆動部３６、および第１ダンパ駆動部３６と電源スイッチＳとの間に介在して第１ダンパ駆動部３６の動作時期を規定するオンタイマ３７を有している。また、当該制御部４０Ｂは、各第２ダンパ６３ａ（図５参照）用のモータ６４ａを動作制御する１階用第２ダンパ駆動部３８ａ、各第２ダンパ６３ｂ（図５参照）用のモータ６４ｂを動作制御する２階用第２ダンパ駆動部３８ｂ、第１温度検出器６５ａの検出値を基準温度範囲と比較する第１比較器３９ａ、および第２温度検出器６５ｂの検出値を基準温度範囲と比較する第２比較器３９ｂも有している。
【００３２】
上記の第１比較器３９ａは、第１温度検出器６５ａの検出値が基準温度範囲から外れたときに動作信号を作成して１階用第２ダンパ駆動部３８ａに送り、当該動作信号を受けた１階用第２ダンパ駆動部３８ａは、各第２ダンパ６３ａ用のモータ６４ａに駆動信号を送って、各第２ダンパ６３ａの開閉状態を切り替える。例えば、空気調和を行わなくてもユーザが不快に感じない温度範囲を上記の基準温度範囲として設定した場合には、第１温度検出器６５ａの検出値が当該基準温度範囲から外れたときに各第２ダンパ６３ａが閉状態から開状態に切り替えられて、各部屋Ｒ1，Ｒ2への調和空気の供給を可能にする。
【００３３】
同様に、第２比較器３９ｂは、第２温度検出器６５ｂの検出値が基準温度範囲から外れたときに動作信号を作成して２階用第２ダンパ駆動部３８ｂに送り、当該動作信号を受けた２階用第２ダンパ駆動部３８ｂは、各第２ダンパ６３ｂ用のモータ６４ｂに駆動信号を送って、各第２ダンパ６３ｂの開閉状態を切り替える。これにより、送風装置６０Ｂから２階の各部屋Ｒ3，Ｒ4（図２参照）への調和空気の供給を可能にする。
【００３４】
したがって、空調システム１００Ｂでは、建物１５０での各階の温度に応じて、階毎に調和空気の供給、遮断が自動的に制御される。なお、送風装置６０Ｂは、第１比較器３９ａおよび第２比較器３９ｂで用いられる各基準温度範囲を空調システム１００Ｂのメーカが予め設定して、記憶部（図示せず）に格納するように構成することもできるし、ユーザが例えばリモートコントローラから設定するように構成することもできる。
【００３５】
上述の構成を有する空調システム１００Ｂは、実施の形態１で説明した空調システム１００Ａ（図１参照）と同様の技術的効果を奏する。また、建物１５０での階毎に調和空気の供給、遮断が自動的に制御されるので、調和空気を供給しなくてもよい温度の階にまで上記の調和空気が供給されるという無駄が防止され、結果として、実施の形態１で説明した空調システム１００Ａと比べてもエネルギー消費量の低減を図り易い。
【００３６】
また、図６中に一点鎖線で示すように、第１比較器３９ａおよび第２比較器３９ｂの各々と第１ダンパ駆動部３６とを電気的に接続し、第１比較器３９ａおよび第２比較器３９ｂの少なくとも一方が前述の動作信号を作成したときには該動作信号が第１ダンパ駆動部３６にも送られて、第１ダンパ２７が閉鎖状態から開放状態になるように空調システム１００Ｂを構成することもできる。このように構成すると、空気調和機２０が作り出した調和空気を各部屋に急速に供給する必要のないときにまで送風装置６０Ｂ（図５参照）が大出力で駆動するというエネルギーの無駄を防止することができる。当該構成を実施の形態１で説明した空調システム１００Ａに適用すれば、同様の技術的効果が得られる。
【００３７】
実施の形態３．
本発明の空調システムでは、冷凍サイクルを利用した空気調和機と、室内空気と外気との間で顕熱や潜熱を交換して空気調和を行う熱交換換気装置とを併用することができる。この場合には、室内空気と熱交換された後の外気（調和空気）を熱交換換気装置から送風装置に送り、ここから配管部に送出して建物の各部屋に供給する。
【００３８】
図７は、冷凍サイクルを利用した空気調和機と熱交換換気装置とを併用した空調システムの一例を示す概略図である。同図に示す空調システム１００Ｃは、２階建ての建物１５０内に設置され、冷凍サイクルを利用した空気調和機２０と熱交換換気装置７５とを併用して１階の各部屋Ｒ1，Ｒ2、および２階の各部屋Ｒ3，Ｒ4に調和空気を供給することができるシステムである。
【００３９】
この空調システム１００Ｃでは、建物１５０の屋根裏部１４６に熱交換換気装置７５が設置されており、この熱交換換気装置７５は、該熱交換換気装置７５に接続された室内側排気配管部７７ａ、室外側排気配管部７７ｂ、室外側給気配管部７８ａ、および室内側給気配管部７８ｂの各々と共に熱交換換気ユニット８０を構成している。空調システム１００Ｃは、熱交換換気ユニット８０を備えているという点、および送風装置６０Ｃが熱交換換気ユニット８０から調和空気の供給を受けるという点をそれぞれ除き、図１に示した空調システム１００Ａと同様の構成を有している。図７に示す構成要素のうちで図１に示した構成要素と共通するものについては、図１で用いた参照符号と同じ参照符号を付してその説明を省略する。
【００４０】
上記の熱交換換気装置７５は、室内空気を吸い込んで室外に吹き出すための排気用送風機７１ａと、外気を吸い込んで室内に吹き出すための給気用送風機７１ｂと、室内空気と外気との間で顕熱や潜熱を交換する熱交換器７３とを有している。この熱交換換気装置７５での室内空気の吸込み口には室内側排気配管部７７ａが接続され、室内空気の吹出し口には室外側排気配管部７７ｂが接続され、外気の吸込み口には室外側給気配管部７８ａが接続され、外気の吹出し口には室内側給気配管部７８ｂが接続されている。
【００４１】
室内側排気配管部７７ａは建物１５０での各部屋Ｒ1〜Ｒ4に連通しており、室外側排気配管部７７ｂは建物１５０の外に連通している。排気用送風機７１ａを駆動させることにより、各部屋Ｒ1〜Ｒ4の室内空気が室内側排気配管部７７ａを通って熱交換換気装置７５に吸い込まれ、熱交換器７３中の所定の流路を流れた後に室外側排気配管部７７ｂを通って建物１５０の外に排出される。図７においては、熱交換換気ユニット８０での室内空気の流向を破線の矢印で示している。
【００４２】
また、室外側給気配管部７８ａは建物１５０の外に連通しており、室内側給気配管部７８ｂは送風装置６０Ｃの第１吸込み風洞部２２Ａ（図２参照）に連通している。給気用送風機７１ｂを駆動させることにより、外気が室外側給気配管部７８ａを通って熱交換換気装置７５に吸い込まれ、熱交換器７３中の所定の流路を流れた後に室内側給気配管部７８ｂを通って送風装置６０Ｃに供給される。図７においては、熱交換換気ユニット８０での外気（熱交換後のものを含む）の流向を点線の矢印で示している。なお、送風装置６０Ｃは、第１吸込み風洞部２２Ａでの空気清浄部２６（図２参照）の外側に室内側給気配管部７８ｂ用の接続口を有するという点を除き、図２に示した送風装置６０Ａと同様の構成を有している。
【００４３】
熱交換換気装置７５の排気用送風機７１ａと給気用送風機７１ｂとを駆動させると、室内空気および外気がそれぞれ上述のように熱交換器７３中の所定の流路を流れ、その過程で当該室内空気と外気との間で顕熱や潜熱が交換されて、調和空気が作り出される。この調和空気は、給気用送風機７１ｂにより室内側給気配管部７８ｂに送られ、該室内側給気配管部７８ｂを通って送風装置６０Ｃに供給された後、空気調和機２０が作り出した調和空気と共に各部屋Ｒ1〜Ｒ4に供給される。
【００４４】
上述のように動作する熱交換換気ユニット８０を備えた空調システム１００Ｃは、実施の形態１で説明した空調システム１００Ａと同様の技術的効果を奏する。また、空気調和機２０と送風装置６０Ｃとの起動に同期させて、あるいは当該起動から所定時間経過後に熱交換器装置７５を起動させた後は、空気調和機２０による空気調和に加えて熱交換器装置７５による換気および空気調和も行われるので、実施の形態１で説明した空調システム１００Ａよりもエネルギー消費量の低減を図り易いという技術的効果も奏する。
【００４５】
実施の形態４．
本発明の空調システムでは、冷凍サイクルを利用した空気調和機と循環型の加湿装置とを併用することができる。この場合には、加湿装置で加湿した後の空気を送風装置に送り、ここから配管部に送出して建物の各部屋に供給する。
【００４６】
図８は、冷凍サイクルを利用した空気調和機と循環型の加湿装置とを併用した空調システムの一例を示す概略図である。同図に示す空調システム１００Ｄは、２階建ての建物１５０内に設置され、冷凍サイクルを利用した空気調和機２０と循環型の加湿装置８５とを併用して１階の各部屋Ｒ1，Ｒ2および２階の各部屋Ｒ3，Ｒ4に調和空気を供給することができるシステムである。
【００４７】
この空調システム１００Ｄでは、建物１５０の屋根裏部１４６に循環型の加湿装置８５が設置されており、この加湿装置８５は、該加湿装置８５に接続された排気配管部８７および給気配管部８８と共に循環型加湿ユニット９０を構成している。空調システム１００Ｄは、循環型加湿ユニット９０を備えているという点、および送風装置６０Ｄが循環型加湿ユニット９０から調和空気（加湿空気）の供給を受けるという点をそれぞれ除き、図１に示した空調システム１００Ａと同様の構成を有している。図８に示す構成要素のうちで図１に示した構成要素と共通するものについては、図１で用いた参照符号と同じ参照符号を付してその説明を省略する。
【００４８】
上記の加湿装置８５は、室内空気を吸い込んで装置外に吹き出すための送風機８１と、吸い込んだ室内空気を加湿する加湿部８３とを有している。この加湿装置８５での空気の吸込み口には排気配管部８７が接続され、加湿空気の吹出し口には給気配管部８８が接続されている。排気配管部８７は建物１５０での各部屋Ｒ1〜Ｒ4に連通しており、給気配管部８８は送風装置６０Ｄの第１吸込み風洞部２２Ａ（図２参照）に連通している。
【００４９】
加湿装置８５の送風機８１を駆動させることにより、各部屋Ｒ1〜Ｒ4の室内空気が排気配管部８７を通って加湿装置８５に吸い込まれ、加湿部８３で加湿された後に送風機８１により給気配管部８８に送られ、該給気配管部８８を通って送風装置６０Ｄに供給される。図８においては、循環型加湿ユニット９０での室内空気の流向を破線の矢印で示している。なお、送風装置６０Ｄは、第１吸込み風洞部２２Ａでの空気清浄部２６（図２参照）の外側に給気配管部８８用の接続口を有するという点を除き、図２に示した送風装置６０Ａと同様の構成を有している。
【００５０】
上述のように動作する循環型加湿ユニット９０を備えた空調システム１００Ｄは、実施の形態１で説明した空調システム１００Ａと同様の技術的効果を奏する。また、空気調和機２０と送風装置６０Ｄとの起動に同期させて、あるいは当該起動から所定時間経過後に加湿装置８５を起動させた後は、空気調和機２０による空気調和に加えて加湿装置８５による空気調和（加湿）も行われるので、実施の形態１で説明した空調システム１００Ａよりもユーザにとっての利便性が高まるという技術的効果も奏する。
【００５１】
以上、本発明の空調システムについて実施の形態を挙げて説明したが、前述のように、本発明は上記の形態に限定されるものではない。本発明の空調システムは、調和空気の流路となる配管部と、建物内の１つの部屋に設置されて調和空気を作り出す空気調和機と、空気調和機が設置された部屋内で空気調和機から離隔した箇所に設置されて配管部に接続され、部屋内の調和空気を吸い込んで配管部に送出する送風装置とを備えていれば基本的によく、他の構成は適宜変更可能である。
【００５２】
例えば、空調システムを構成する送風装置に設ける吸込み風洞は１つでもよい。１つの吸込み風洞のみを送風装置に設ける場合、該吸込み風洞での前面側に空気清浄部を設けるか否かは適宜選択可能である。また、当該吸込み風洞を開閉するダンパを設けるか否かについても適宜選択可能である。ただし、建物内の各部屋に清浄な調和空気を供給するという観点からは、送風装置に設ける吸込み風洞の総数が幾つであるかに拘わらず、当該送風装置には空気清浄部を設けることが好ましい。そして、建物内の各部屋に少ないエネルギー消費量の下に調和空気を急速に供給することができる機能を空調システムに付与するうえからは、実施の形態で説明したように、前面側に空気清浄部が配置された吸込み風洞と内部にダンパが配置された吸込み風洞とを送風装置に設けることが好ましい。
【００５３】
実施の形態２で説明した空調システムにおけるように、配管部にダンパを配置して調和空気の供給、遮断を制御する場合、当該ダンパは建物の階毎または部屋毎に必ず設けなければならないというものではなく、所望階のみや所望の部屋のみに設けることもできる。本発明の空調システムについては、上述した以外にも種々の変形、修飾、組み合わせ等が可能である。
【産業上の利用可能性】
【００５４】
本発明の空調システムは、家庭用または業務用の空調システムとして好適である。
【図面の簡単な説明】
【００５５】
【図１】本発明の空調システムの一例を示す概略図である。
【図２】図１に示した空調システムでの送風装置の構成を概略的に示す部分断面図である。
【図３】図１に示した空調システムでの結線の状態を概略的に示す結線図である。
【図４】図１に示した空調システムでの各部の動作時期を概略的に示すタイムチャートである。
【図５】本発明の空調システムのうちで建物での階毎に調和空気の供給、遮断を制御することができるものの一例を示す概略図である。
【図６】図５に示した空調システムでの結線の状態を概略的に示す結線図である。
【図７】本発明の空調システムのうちで冷凍サイクルを利用した空気調和機と熱交換換気装置とを併用したものの一例を示す概略図である。
【図８】本発明の空調システムのうちで冷凍サイクルを利用した空気調和機と循環型の加湿装置とを併用したものの一例を示す概略図である。
【符号の説明】
【００５６】
１０  配管部
２０  空気調和機
２１ａ  吸込み口
２２  吸込み風洞部
２２Ａ  第１吸込み風洞部
２２Ｂ  第２吸込み風洞部
２６  空気清浄部
２６ａ  第１フィルター
２６ｂ  第２フィルター
２６ｃ  第３フィルター
２７  第１ダンパ
３１  送風ファン
３６  第１ダンパ駆動部
４０Ａ，４０Ｂ  制御部
５０  送風部
６０Ａ，６０Ｂ，６０Ｃ，６０Ｄ  送風装置
６３ａ  １階用第２ダンパ
６３ｂ  ２階用第２ダンパ
６５ａ  第１温度検出器
６５ｂ  第２温度検出器
７５  熱交換換気装置
８０  熱交換換気ユニット
８５  加湿装置
９０  循環型加湿ユニット
１００Ａ，１００Ｂ，１００Ｃ，１００Ｄ  空調システム
１５０  建物
Ｒ1，Ｒ2，Ｒ3，Ｒ4  部屋
【図１】
2010101600.tif 000003
【図２】
2010101600.tif 000004
【図３】
2010101600.tif 000005
【図４】
2010101600.tif 000006
【図５】
2010101600.tif 000007
【図６】
2010101600.tif 000008
【図７】
2010101600.tif 000009
【図８】
2010101600.tif 000010